(57)【要約】    【課題】  大口径でかつ全系が小型で、しかも全ズーム範囲にわたり良好なる光学性能が得られるズームレンズを得ること。    【解決手段】  物体側から像側へ順に配置された、正の屈折力の第１レンズ群、１つ以上の負の屈折力の部分レンズ群を有し全体で負の屈折力の第２レンズ群、正の屈折力の第３レンズ群、正の屈折力の第４レンズ群より構成され、望遠端において第１レンズ群と第２レンズ群の間隔が大きく、第２レンズ群と第３レンズ群の間隔が小さく、第３レンズ群と第４レンズ群の間隔が小さく、材料の屈折率Ｎｄ、アッベ数νｄ、第４レンズ群の光軸上の距離ｔ４、ｓｋｗを各々適切に設定すること。【選択図】    図１
2019015956.tif 000002
【特許請求の範囲】
【請求項１】
物体側から像側へ順に配置された、正の屈折力の第１レンズ群、１つ以上のレンズ群を含み全体として負の屈折力を有する中間群、正の屈折力の第ｎ−１レンズ群、正の屈折力の第ｎレンズ群より構成され、ズーミングに際して隣り合うレンズ群の間隔が変化するズームレンズであって、
ズーミングに際して前記第１レンズ群は移動し、
広角端に比べ望遠端において、前記第ｎ−１レンズ群と前記ｎレンズ群の間隔が小さくなり、
材料の屈折率をＮｄ、材料のアッベ数をνｄとするとき、前記第ｎレンズ群は、
６５．０＜νｄ＜９７．０
を満足する材料よりなる正レンズＬＰＬを複数枚有し、
前記第ｎレンズ群は、前記複数枚の正レンズＬＰＬの像側に配置された
１．８４＜Ｎｄ＜２．２０
を満足する正レンズＬＰＨを有し、
前記第ｎレンズ群の最も物体側のレンズ面から前記第ｎレンズ群の最も像側のレンズ面までの光軸上の距離をｔｎ、広角端におけるバックフォーカスをｓｋｗとするとき、
１．１＜ｔｎ／ｓｋｗ＜１０．０
なる条件式を満足することを特徴とするズームレンズ。
【請求項２】
前記第ｎレンズ群の焦点距離をｆｎ、前記複数枚の正レンズＬＰＬの屈折力の総和をΣΦＬＰＬとするとき、
０．５＜ｆｎ×ΣΦＬＰＬ＜５．０
なる条件式を満足することを特徴とする請求項１又は２に記載のズームレンズ。
【請求項３】
前記ズームレンズは、前記正レンズＬＰＨを１枚有し、
前記第ｎレンズ群の焦点距離をｆｎ、前記正レンズＬＰＨの屈折力をΦＬＰＨとするとき、
０．２＜ｆｎ×ΦＬＰＨ＜２．０
なる条件式を満足することを特徴とする請求項１又は２に記載のズームレンズ。
【請求項４】
前記ズームレンズは、前記正レンズＬＰＨを複数枚有し、
前記第ｎレンズ群の焦点距離をｆｎ、前記複数の正レンズＬＰＨのうち最も像側に配置された正レンズＬＰＨの屈折力をΦＬＰＨとするとき、
０．２＜ｆｎ×ΦＬＰＨ＜２．０
なる条件式を満足することを特徴とする請求項１又は２に記載のズームレンズ。
【請求項５】
前記第１レンズ群の焦点距離をｆ１、広角端における前記中間群の焦点距離をｆｍとするとき、
−８＜ｆ１／ｆｍ＜−４
なる条件式を満足することを特徴とする請求項１乃至４のいずれか１項に記載のズームレンズ。
【請求項６】
前記第ｎ−１レンズ群の焦点距離をｆｎ−１、前記ｎレンズ群の焦点距離をｆｎとするとき、
０．９＜ｆｎ−１／ｆｎ＜２．０
なる条件式を満足することを特徴とする請求項１乃至５のいずれか１項に記載のズームレンズ。
【請求項７】
広角端における前記中間群の焦点距離をｆｍ、広角端における前記ズームレンズの焦点距離をｆｗとするとき、
−０．９０＜ｆｍ／ｆｗ＜−０．４５
なる条件式を満足することを特徴とする請求項１乃至６のいずれか１項に記載のズームレンズ。
【請求項８】
前記第ｎレンズ群の焦点距離をｆｎ、広角端における前記ズームレンズの焦点距離をｆｗとするとき、
１．１＜ｆｎ／ｆｗ＜１．９
なる条件式を満足することを特徴とする請求項１乃至７のいずれか１項に記載のズームレンズ。
【請求項９】
望遠端における前記中間群の横倍率をβｍｔとするとき、
−０．６＜βｍｔ＜−０．２
なる条件式を満足することを特徴とする請求項１乃至８のいずれか１項に記載のズームレンズ。
【請求項１０】
前記中間群は、前記第１レンズ群の像側に隣接して配置された負の屈折力の第２レンズ群からなり、
フォーカシングに際して前記第２レンズ群が移動することを特徴とする請求項１乃至９のいずれか１項に記載のズームレンズ。
【請求項１１】
前記中間群は、前記第１レンズ群の像側に隣接して配置された負の屈折力の第２レンズ群と前記第２レンズ群の像側に配置された負の屈折力の第３レンズ群からなり、
フォーカシングに際して前記第３レンズ群が移動することを特徴とする請求項１乃至９のいずれか１項に記載のズームレンズ。
【請求項１２】
広角端に比べ望遠端において、前記第ｎ−１レンズ群の物体側に隣接して配置されたレンズ群と前記第ｎ−１レンズ群との間隔が小さくなることを特徴とする請求項１乃至１１のいずれか１項に記載のズームレンズ。
【請求項１３】
前記中間群は、前記第１レンズ群の像側に隣接して配置された負の屈折力の第２レンズ群を有し、
広角端に比べ望遠端において、前記第１レンズ群と前記第２レンズ群との間隔が大きくなることを特徴とする請求項１乃至１２のいずれか１項に記載のズームレンズ。
【請求項１４】
像ぶれ補正に際して前記第ｎレンズ群の全体又は一部が光軸に対して垂直方向の成分を含む方向に移動することを特徴とする請求項１乃至１３のいずれか１項に記載のズームレンズ。
【請求項１５】
請求項１乃至１４のいずれか１項に記載のズームレンズと、該ズームレンズによって形成された像を受光する撮像素子を有することを特徴とする撮像装置。
【発明の詳細な説明】
【技術分野】
【０００１】
本発明はズームレンズ及び撮像装置に関し、特にスチルカメラ、ビデオカメラ、デジタルスチルカメラ、ＴＶカメラ、そして監視用カメラ等の撮像装置に用いられる撮像光学系として好適なものである。
【背景技術】
【０００２】
近年、撮像素子を用いた撮像装置に用いる撮像光学系には、レンズ全長（第１レンズ面から像面までの距離）が短く、全系が小型でしかも大口径比のズームレンズであることが要求されている。また諸収差のうち、特に色収差が良好に補正され、全ズーム範囲で高い光学性能を有したズームレンズが要求されている。
【０００３】
これらの要求を満足するズームレンズとして、物体側より像側へ順に、正、負、正、正の屈折力の第１レンズ群乃至第４レンズ群より成るポジティブリード型の４群ズームレンズが知られている（特許文献１）。特許文献１ではズーミングに際して隣り合うレンズ群の間隔を変化させている。そして特許文献１では第４レンズ群に低分散材料よりなる正レンズを用いて色収差を補正したズームレンズを開示している。
【先行技術文献】
【特許文献】
【０００４】
【特許文献１】特開２０１３−１６０９４４号公報
【発明の概要】
【発明が解決しようとする課題】
【０００５】
近年、ズームレンズを小型化するために、ズームレンズを構成する各レンズ群の屈折力を大きくすると、例えば軸上色収差が多く発生し、特に望遠端において軸上色収差が増加してくる。
【０００６】
前述したポジティブリード型のズームレンズにおいて、全系の小型化と、大口径比を確保しつつ、色収差を良好に補正し、高い光学性能を得るには、ズームレンズを構成する各要素を適切に設定することが重要となってくる。例えばズームタイプ（レンズ群の数や各レンズ群の屈折力の符号）や、各レンズ群のレンズ構成等を適切に設定することが重要になってくる。
【０００７】
特に第４レンズ群のレンズ構成を適切に設定することが重要になり、第４レンズ群のレンズ構成が適切でないと、大口径化を図る際に全系が大型化してくる。また、ズーミングに伴う色収差の変動が増大し、全ズーム範囲にわたり高い光学性能を得るのが困難になる。
【０００８】
本発明は、大口径でかつ全系が小型で、しかも全ズーム範囲にわたり良好なる光学性能が得られるズームレンズ及びそれを有する撮像装置の提供を目的とする。
【課題を解決するための手段】
【０００９】
本発明のズームレンズは、物体側から像側へ順に配置された、正の屈折力の第１レンズ群、１つ以上のレンズ群を含み全体として負の屈折力を有する中間群、正の屈折力の第ｎ−１レンズ群、正の屈折力の第ｎレンズ群より構成され、ズーミングに際して隣り合うレンズ群の間隔が変化するズームレンズであって、
ズーミングに際して前記第１レンズ群は移動し、
広角端に比べ望遠端において、前記第ｎ−１レンズ群と前記ｎレンズ群の間隔が小さくなり、
材料の屈折率をＮｄ、材料のアッベ数をνｄとするとき、前記第ｎレンズ群は、
６５．０＜νｄ＜９７．０
を満足する材料よりなる正レンズＬＰＬを複数枚有し、
前記第ｎレンズ群は、前記複数枚の正レンズＬＰＬの像側に配置された
１．８４＜Ｎｄ＜２．２０
を満足する正レンズＬＰＨを有し、
前記第ｎレンズ群の最も物体側のレンズ面から前記第ｎレンズ群の最も像側のレンズ面までの光軸上の距離をｔｎ、広角端におけるバックフォーカスをｓｋｗとするとき、
１．１＜ｔｎ／ｓｋｗ＜１０．０
なる条件式を満足することを特徴としている。
【発明の効果】
【００１０】
本発明によれば、大口径でかつ全系が小型で、しかも全ズーム範囲にわたり良好なる光学性能が得られるズームレンズが得られる。
【図面の簡単な説明】
【００１１】
【図１】実施例１のズームレンズの広角端におけるレンズ断面図
【図２】実施例１のズームレンズの無限遠合焦時の広角端、中間のズーム位置、望遠端における収差図
【図３】実施例２のズームレンズの広角端におけるレンズ断面図
【図４】実施例２のズームレンズの無限遠合焦時の広角端、中間のズーム位置、望遠端における収差図
【図５】実施例３のズームレンズの広角端におけるレンズ断面図
【図６】実施例３のズームレンズの無限遠合焦時の広角端、中間のズーム位置、望遠端における収差図
【図７】実施例４のズームレンズの広角端におけるレンズ断面図
【図８】実施例４のズームレンズの無限遠合焦時の広角端、中間のズーム位置、望遠端における収差図
【図９】実施例５のズームレンズの広角端におけるレンズ断面図
【図１０】実施例５のズームレンズの無限遠合焦時の広角端、中間のズーム位置、望遠端における収差図
【図１１】実施例１のズームレンズの一部の光路図
【図１２】実施例の撮像装置の要部概略図
【発明を実施するための形態】
【００１２】
以下に本発明の好ましい実施の形態を、添付の図面に基づいて詳細に説明する。
【００１３】
なお、本明細書において、「バックフォーカス」は、レンズ最終面から近軸像面までの光軸上の距離を空気換算長により表記したものとする。「レンズ全長」は、ズームレンズの最前面（最も物体側のレンズ面）から最終面（最も像側のレンズ面）までの光軸上の距離にバックフォーカスを加えた長さである。「レンズ群」とは、複数のレンズから構成される場合に限らず、１枚のレンズから構成される場合も示すものとする。広角端はズームレンズの焦点距離が最も短くなる状態を示し、望遠端はズームレンズの焦点距離が最も長くなる状態を示す。
【００１４】
各実施例のズームレンズは、ビデオカメラやデジタルカメラ、ＴＶカメラ等の撮像装置に用いられる撮像光学系である。又各実施例のズームレンズを画像投射装置（プロジェクター）用の投射光学系として用いることもできる。図１、３、５、７、９に示すレンズ断面図において、左方が物体側（前方）で、右方が像側（後方）である。また、レンズ断面図において、ｉを物体側からのレンズ群の順番とすると、Ｌｉは第ｉレンズ群を示す。
【００１５】
ＳＰは開放Ｆナンバー（Ｆｎｏ）の光束を決定（制限）する開口絞りである。ＩＭＧは像面である。像面ＩＭＧは、ビデオカメラやネットワークカメラの撮影光学系としてズームレンズを使用する際には、ＣＣＤセンサやＣＭＯＳセンサなどの固体撮像素子（光電変換素子）の撮像面に相当する。矢印は広角端から望遠端へのズーミング（変倍）に際して、各レンズ群の移動軌跡を示している。ＬＰＬ１，ＬＰＬ２、ＬＰＬ３，ＬＰＬ４は正レンズである。
【００１６】
フォーカスに関する矢印は無限遠から近距離へのフォーカシングにおける各レンズ群の移動方向を示している。
【００１７】
図２、４、６、８、１０に示す収差図のうち、球面収差において、実線ｄはｄ線（５８７．６ｎｍ）、破線ｇはｇ線（４３５．８ｎｍ）を表している。また、非点収差を示す図において、実線Ｓはｄ線のサジタル方向、破線Ｍはｄ線のメリディオナル方向を表している。また、歪曲を示す図は、ｄ線における歪曲を表している。倍率色収差図における破線はｄ線に対する倍率色収差を示している。ＦｎｏはＦナンバー、ωは撮影画角の半画角（度）である。
【００１８】
本発明の実施例にかかるズームレンズは、ズーミングに際して隣り合うレンズ群の間隔が変化する複数のレンズ群を有する。当該複数のレンズ群は、物体側から像側へ順に配置された、正の屈折力の第１レンズ群Ｌ１、１つ以上のレンズ群を含み全体として負の屈折力を有する中間群Ｌｍ、正の屈折力の第ｎ−１レンズ群Ｌｎ−１、正の屈折力の第ｎレンズ群Ｌｎより構成されている。すなわち、第ｎ−１レンズ群Ｌｎ−１は、像側から数えて２番目のレンズ群であり、第ｎレンズ群Ｌｎは最も像側に配置されたレンズ群である。中間群Ｌｍは全ズーム範囲にわたって負の屈折力を有する。
【００１９】
ズーミングに際して第１レンズ群が移動する。そして、広角端に比べ望遠端において第ｎ−１レンズ群Ｌｎ−１と第ｎレンズ群Ｌｎの間隔が小さくなる。このようにズーミングを行うことで、第ｎレンズ群の移動量を大きくして高ズーム比化を図りつつ、ズームレンズの小型化を図っている。さらに、広角端に比べ望遠端において第ｎ−１レンズ群Ｌｎ−１と第ｎレンズ群Ｌｎの間隔を小さくすることにより、当該間隔を大きくする場合に比べて、ズーミングに際しての非点収差の変動を軽減することができる。これにより、大口径のズームレンズを得ることができる。
【００２０】
このズームレンズにおいてさらなる大口径化を図ろうとすると、軸上色収差が増大し、またペッツバール和も増大する。そこで、軸上色収差を軽減するために、第ｎレンズ群に分散の小さい材料からなる正レンズを複数枚配置している。
【００２１】
一般に、分散の小さい材料は一般的に屈折率が低い。従って、複数のレンズ群のうち最も像側に配置された第ｎレンズ群に分散の小さい材料からなる正レンズを複数枚配置することで軸上色収差を低減しつつ大口径化を達成しようとするとペッツバール和がプラスの値に，大きくなり、像面湾曲がアンダー方向に発生する。ペッツバール和をマイナス方向に発生させるためには強い負の屈折力の中間群Ｌｍを配置するとよいが、単に中間群Ｌｍの屈折力を強くするだけでは望遠端において球面収差や非点収差を軽減するのが困難となるため好ましくない。
【００２２】
図１１は実施例１のズームレンズのレンズ断面図の一部分の光路図である。図１１においてｈ１は最も像側のレンズ群の最も物体側のレンズに入射した軸上光線の入射高さ、ｈｋは最も像側のレンズ群の最も像側のレンズから出射される軸上光線の入射高さを示している。軸上光線の入射高さは像面ＩＭＧにおいてゼロとなり、像面ＩＭＧから離れるに従って大きくなる。第ｎレンズ群Ｌｎにおいて、像側に近い位置に配置されたレンズほど軸上光束の入射高が低くなり、像面から離れた位置に配置されたレンズほど軸上光束の入射高が高くなる。また、軸上色収差は軸上光線の入射高に比例して寄与が大きくなるとなる。
【００２３】
従って、最も像側に配置されたレンズ群において像面近くに配置されたレンズは軸上色収差への寄与が小となり、像面から遠くに配置されたレンズでは寄与が大となる。一方、ペッツバール和は軸上光線の入射高にかかわらず寄与は一定である。
【００２４】
そこで、実施例のズームレンズは第ｎレンズ群Ｌｎの物体側に分散の小さい材料からなる正レンズＬＰＬを複数枚配置し、複数枚の正レンズＬＰＬの像側に屈折率の高い材料からなる正レンズＬＰＨを配置している。これにより、軸上色収差の低減とペッツバール和の増大を軽減しつつ、大口径化を図っている。
【００２５】
特に実施例のズームレンズでは、材料の屈折率をＮｄ、材料のアッベ数をνｄとするとき、第ｎレンズ群Ｌｎは、
６５．０＜νｄ＜９７．０          ・・・（１）
を満足する材料よりなる正レンズＬＰＬを複数枚有している。ここで複数の正レンズＬＰＬを順に正レンズＬＰＬ１，正レンズＬＰＬ２，・・・と言う。
さらに第ｎレンズ群Ｌｎは、複数枚の正レンズＬＰＬの像側に配置された、
１．８４＜Ｎｄ＜２．２０          ・・・（２）
を満足する正レンズＬＰＨを有している。
【００２６】
第ｎレンズ群Ｌｎの最も物体側のレンズ面から第ｎレンズ群Ｌｎの最も像側のレンズ面までの光軸上の距離をｔｎとする。広角端におけるズームレンズのバックフォーカスをｓｋｗとする。このとき、実施例のズームレンズは、
１．１＜ｔｎ／ｓｋｗ＜１０．０    ・・・（３）
なる条件式を満足する。
【００２７】
実施例のズームレンズは、広角端に比べて望遠端において第１レンズ群Ｌ１と中間群Ｌｍの間隔が大きく、中間群Ｌｍと第ｎ−１レンズ群Ｌｎ−１との間隔が小さく、第ｎ−１レンズ群Ｌｎ−１と第ｎレンズ群Ｌｎとの間隔が小さくなるように各レンズ群が移動している。特に、広角端から望遠端へのズーミングに際して第ｎ−１レンズ群Ｌｎ−１と第ｎレンズ群Ｌｎの間隔を小とすることでズーミングに伴う非点収差の変動を軽減しつつ、高ズーム比化と全系の小型化を図っている。
【００２８】
条件式（１）を満足する正レンズＬＰＬを物体側から像側へ順にＬＰＬｉとし、ｉは物体側から数えたときの番号とする。また、第ｎレンズ群Ｌｎにおいて条件式（２）の数値範囲を満たす屈折率の材料からなる正レンズを複数枚有する場合、正レンズＬＰＨは、最も像側に配置された正レンズとする。正レンズＬＰＬｉ及び正レンズＬＰＨは単レンズでも接合レンズを構成する１つのレンズであっても良い。
【００２９】
条件式（１）は軸上色収差を良好に補正するためのものである。条件式（１）の下限を下回ると軸上色収差の補正が不十分となり好ましくない。また上限を超えると適切な光学材料を得るのが困難となるため好ましくない。
【００３０】
条件式（２）はペッツバール和を軽減するためのものである。条件式（２）の下限を下回るとペッツバール和がプラス方向に増大し、像面湾曲がアンダー方向に多く発生してしまうため好ましくない。また上限を超えると適切な光学材料を得るのが困難になるため好ましくない。
【００３１】
条件式（３）は第ｎレンズ群Ｌｎの厚さとバックフォーカスの比を規定している。条件式（３）の下限を下回り、第ｎレンズ群Ｌｎが薄くなると、第ｎレンズ群Ｌｎの物体側に配置したレンズと像側に配置したレンズで軸上光線の入射高の差が小となるため、軸上色収差を補正しつつペッツバール和を軽減することが困難となるため好ましくない。また、上限を超えて第ｎレンズ群Ｌｎの厚さが増大すると、またはバックフォーカスが短くなると、最も像側のレンズの有効径が大きくなりレンズ重量が増大するため好ましくない。
【００３２】
好ましくは条件式（１）乃至（３）の数値範囲を次の如く設定するのが良い。
６６．０＜νｄ＜９６．０          ・・・（１ａ）
１．９０＜Ｎｄ＜２．０６          ・・・（２ａ）
１．１３＜ｔｎ／ｓｋｗ＜４．００  ・・・（３ａ）
実施例のズームレンズは、好ましくは次の条件式のうち１つ以上を満足するのが良い。第ｎレンズ群Ｌｎの焦点距離をｆｎ、複数枚の正レンズＬＰＬの屈折力の総和をΣΦＬＰＬとする。正レンズＬＰＨの屈折力をΦＬＰＨとする。但し屈折力ΦＬＰＨは条件式（２）を満足する正レンズＬＰＨが複数枚、存在するときは最も像側の正レンズの屈折力とする。第１レンズ群Ｌ１の焦点距離をｆ１、広角端における中間群Ｌｍの焦点距離をｆｍとする。第ｎ−１レンズ群Ｌｎ−１の焦点距離をｆｎ−１とする。広角端における全系の焦点距離をｆｗとする。望遠端における中間群Ｌｍの横倍率をβｍｔとする。
【００３３】
このとき次の条件式のうち１つ以上を満足するのが良い。
０．５＜ｆｎ×ΣΦＬＰＬ＜５．０    ・・・（４）
０．２＜ｆｎ×ΦＬＰＨ＜２．０      ・・・（５）
−８．０＜ｆ１／ｆｍ＜−４．０      ・・・（６）
０．９＜ｆｎ−１／ｆｎ＜２．０        ・・・（７）
−０．９０＜ｆｍ／ｆｗ＜−０．４５  ・・・（８）
１．１＜ｆｎ／ｆｗ＜１．９          ・・・（９）
−０．６＜βｍｔ＜−０．２          ・・・（１０）
次に前述の各条件式の技術的意味について説明する。条件式（４）は第ｎレンズ群Ｌｎの焦点距離と、第ｎレンズ群Ｌｎに含まれる条件式（１）を満足する材料からなる全ての正レンズＬＰＬｉの正の屈折力の和の関係を規定している。条件式（４）の上限を超えて条件式（１）を満足する材料からなる正レンズＬＰＬｉの正の屈折力が強くなると望遠端において球面収差の補正が困難となるため好ましくない。また下限を下回り条件式（１）を満足する材料からなる正レンズＬＰＬｉの正の屈折力が弱くなると軸上色収差の補正が不十分となり好ましくない。
【００３４】
条件式（５）は第ｎレンズ群Ｌｎの焦点距離と正レンズＬＰＨの正の屈折力の関係を規定している。条件式（５）の下限を下回り正レンズＬＰＨの正の屈折力が弱くなるとペッツバール和がプラス方向に大きくなり、像面湾曲がアンダーとなり好ましくない。また上限を超えて正レンズＬＰＨの正の屈折力が強くなるとペッツバール和がマイナス方向に過剰となり、像面湾曲がオーバーとなり好ましくない。
【００３５】
条件式（６）は第１レンズ群Ｌ１と中間群Ｌｍの焦点距離の関係を規定している。条件式（６）の下限を下回り第１レンズ群Ｌ１の焦点距離が長く、かつ中間群Ｌｍの負の焦点距離の絶対値が小さくなるとパワー配置が所謂レトロフォーカスになりすぎて、レンズ全長が増大するので好ましくない。また、上限を超えて第１レンズ群Ｌ１の焦点距離が短く、かつ中間群Ｌｍの負の焦点距離の絶対値が大きくなると、前玉有効径が増大してくるので好ましくない。
【００３６】
条件式（７）は第ｎ−１レンズ群Ｌｎ−１と第ｎレンズ群Ｌｎの焦点距離の関係を規定している。望遠端において中間群Ｌｍで発散された光束を第ｎ−１レンズ群Ｌｎ−１で収斂させ、平行光に近い状態で第ｎレンズ群Ｌｎに入射させることでズーミングにおける収差変動を適切に補正することを容易にしている。
【００３７】
条件式（７）は第ｎ−１レンズ群Ｌｎ−１の焦点距離と第ｎレンズ群Ｌｎの焦点距離の関係を適切に設定するためのものである。条件式（７）の上限を超えて第ｎ−１レンズ群Ｌｎ−１の焦点距離が長く、第ｎレンズ群Ｌｎの焦点距離が短くなると望遠端において中間群Ｌｍで発散された光束が第ｎ−１レンズ群Ｌｎ−１で十分に収斂されず、発散された状態で第ｎレンズ群Ｌｎに入射する。そうするとズーミングに際して収差変動が増大するため好ましくない。また下限を下回り第ｎ−１レンズ群Ｌｎ−１の焦点距離が短く、第ｎレンズ群Ｌｎの焦点距離が長くなると、望遠端における球面収差の補正が困難となるため好ましくない。
【００３８】
条件式（８）は中間群Ｌｍの焦点距離と広角端におけるズームレンズの焦点距離の関係を規定している。条件式（８）の下限を超えて中間群Ｌｍの負の焦点距離の絶対値が大きくなると変倍に必要な移動量が増大し、全系が大型化するため好ましくない。また上限を超えて中間群Ｌｍの負の焦点距離の絶対値が小さくなると望遠端において球面収差や非点収差が増大し、これらの諸収差の補正が困難となるため好ましくない。
【００３９】
条件式（９）は第ｎレンズ群Ｌｎの焦点距離と広角端におる全系の焦点距離の関係を規定している。条件式（９）の上限を超えて第ｎレンズ群Ｌｎの焦点距離が長くなると広角端におけるバックフォーカスの長さを十分に確保することが困難となるため好ましくない。また下限を下回り第ｎレンズ群Ｌｎの焦点距離が短くなると、広角端において歪曲収差の補正が困難となるため好ましくない。
【００４０】
条件式（１０）は望遠端における中間群Ｌｍの合成横倍率を規定している。条件式（１０）の上限を超えて合成横倍率の絶対値が小さくなると、高ズーム比化が困難となるため好ましくない。また下限を下回り合成横倍率の絶対値が大きくなると第１レンズ群Ｌ１と中間群Ｌｍの変倍に伴う移動量が増大し、全系が大型化するため好ましくない。さらに好ましくは条件式（４）乃至（１０）の数値範囲を下記の範囲とするとよい。
１．６＜ｆｎ×ΣΦＬＰＬ＜３．２    ・・・（４ａ）
０．３５＜ｆｎ×ΦＬＰＨ＜１．３０  ・・・（５ａ）
−７．０＜ｆ１／ｆｍ＜−５．３      ・・・（６ａ）
１．０５＜ｆｎ−１／ｆｎ＜１．６５    ・・・（７ａ）
−０．７５＜ｆｍ／ｆｗ＜−０．６０  ・・・（８ａ）
１．３５＜ｆｎ／ｆｗ＜１．７０      ・・・（９ａ）
−０．４８＜βｍｔ＜−０．２８      ・・・（１０ａ）
本実施例において、中間群Ｌｍは主の変倍レンズ群として機能する。１つ以上のレンズ群を有する中間群Ｌｍは、全ズーム範囲にわたって全体として負の屈折力を有することが好ましい。中間群Ｌｍは、１つまたは２つのレンズ群からなることが好ましく、中間群が２つのレンズ群を有する場合は、当該２つのレンズ群のそれぞれが負の屈折力を有することが好ましい。また、中間群Ｌｍが２つのレンズ群を有する場合は、それらの間隔が広角端に比べて望遠端において小さくなるようにズーミングを行うことが好ましい。
【００４１】
本発明の各実施例のズームレンズにおいて、第１レンズ群Ｌ１よりも像側に配置されたいずれかのレンズ群の全体またはその一部のレンズ系でフォーカスを行うとよい。特に無限遠から近距離へのフォーカシングに際して中間群Ｌｍを構成するレンズ群のいずれかを物体側に繰り出して行うとよい。
【００４２】
中間群Ｌｍは主変倍レンズ群でありかつ屈折力が強いため、フォーカシングに必要な繰り出し量を少なくすることができて、全系の小型化が容易となる。また中間群Ｌｍを構成するレンズ群のいずれかでフォーカシングを行うとフォーカスレンズ系の重量を軽量にできるため。さらに、フォーカスを駆動するための機構を簡略化できるため全系の小型化が容易となる。
【００４３】
次に、各実施例のズームレンズについて説明する。
【００４４】
図１は実施例１のズームレンズの広角端におけるレンズ断面図である。図２（Ａ）、（Ｂ）、（Ｃ）はそれぞれ実施例１のズームレンズの広角端、中間のズーム位置、望遠端における収差図である。実施例１はズーム比２．３５、Ｆナンバー２．０５〜２．０６程度のズームレンズである。
【００４５】
図３は実施例２のズームレンズの広角端におけるレンズ断面図である。図４（Ａ）、（Ｂ）、（Ｃ）はそれぞれ実施例２のズームレンズの広角端、中間のズーム位置、望遠端における収差図である。実施例２はズーム比２．３５、Ｆナンバー２．０５〜２．０程度のズームレンズである。
【００４６】
図５は実施例３のズームレンズの広角端におけるレンズ断面図である。図６（Ａ）、（Ｂ）、（Ｃ）はそれぞれ実施例３のズームレンズの広角端、中間のズーム位置、望遠端における収差図である。実施例３はズーム比２．３５、Ｆナンバー２．０５〜２．０６程度のズームレンズである。
【００４７】
図７は実施例４のズームレンズの広角端におけるレンズ断面図である。図８（Ａ）、（Ｂ）、（Ｃ）はそれぞれ実施例４のズームレンズの広角端、中間のズーム位置、望遠端における収差図である。実施例４はズーム比２．７０、Ｆナンバー２．０６程度のズームレンズである。
【００４８】
実施例１〜４のズームレンズに含まれる複数のレンズ群は、物体側から像側へ順に配置された、正の屈折力の第１レンズ群Ｌ１、負の屈折力の第２レンズ群Ｌ２、正の屈折力の第３レンズ群Ｌ３、正の屈折力の第４レンズ群Ｌ４からなる。ここで、第２レンズ群Ｌ２が中間群Ｌｍに相当し、第３レンズ群Ｌ３が第ｎ−１レンズ群Ｌｎ−１に相当し、第４レンズ群が第ｎレンズ群Ｌｎに相当する。
【００４９】
ズーミングに際して、全てのレンズ群が移動する。また、ズーミングをすることにより、広角端に比べ望遠端において、第１レンズ群Ｌ１と第２レンズ群Ｌ２の間隔が大きくなり、第２レンズ群Ｌ２と第３レンズ群Ｌ３の間隔が小さくなり、第３レンズ群Ｌ３と第４レンズ群Ｌ４の間隔が小さくなる。
【００５０】
実施例１〜４において、第２レンズ群Ｌ２を光軸上で移動させてフォーカシングを行っている。無限遠から近距離へのフォーカシングに際して、矢印２ｃに示すように第２レンズ群Ｌ２を物体側へ繰り出している。実線２ａは、無限遠物体に合焦時の、広角端から望遠端へのズーミングの際の像面変動を補正するための移動軌跡を示している。点線２ｂは、近距離物体に合焦時の、広角端から望遠端へのズーミングの際の像面変動を補正するための移動軌跡を示している。
【００５１】
図９は実施例５のズームレンズの広角端におけるレンズ断面図である。図１０（Ａ）、（Ｂ）、（Ｃ）はそれぞれ実施例５のズームレンズの広角端、中間のズーム位置、望遠端における収差図である。実施例５はズーム比２．７５、Ｆナンバー２．９１程度のズームレンズである。
【００５２】
実施例５のズームレンズに含まれる複数のレンズ群は、物体側から像側へ順に配置された、正の屈折力の第１レンズ群Ｌ１、負の屈折力の第２レンズ群Ｌ２、負の屈折力の第３レンズ群Ｌ３、正の屈折力の第４レンズ群Ｌ４、正の屈折力の第５レンズ群Ｌ５からなる。ここで、ここで、第２レンズ群Ｌ２および第３レンズ群Ｌ３が中間群Ｌｍに相当し、第４レンズ群Ｌ４が第ｎ−１レンズ群Ｌｎ−１に相当し、第５レンズ群Ｌ５が第ｎレンズ群Ｌｎに相当する。
【００５３】
ズーミングに際して、全てのレンズ群が移動する。また、ズーミングをすることにより、広角端に比べ望遠端において、第１レンズ群Ｌ１と第２レンズ群Ｌ２の間隔が大きくなり、第２レンズ群Ｌ２と第３レンズ群Ｌ３の間隔は小さくなり、第３レンズ群Ｌ３と第４レンズ群Ｌ４の間隔が小さくなり、第４レンズ群Ｌ４と第５レンズ群Ｌ５の間隔が小さくなる。
【００５４】
実施例５において、第３レンズ群Ｌ３を光軸上で移動させてフォーカシングを行っている。無限遠から近距離物体へのフォーカシングに際して、矢印３ｃに示すように第３レンズ群Ｌ３を物体側へ繰り出している。実線３ａは、無限遠物体に合焦時の、広角端から望遠端へのズーミングの際の像面変動を補正するための移動軌跡を示している。点線３ｂは、近距離物体に合焦時の、広角端から望遠端へのズーミングの際の像面変動を補正するための移動軌跡を示している。
【００５５】
各実施例のズームレンズにおいて、第１レンズ群Ｌ１よりも像側に配置されたレンズ群の全体またはその一部のレンズ系を光軸方向に対して垂直方向の成分を含む方向に駆動させることで手振れによる像ぶれを補正するようにしても良い。特に第ｎレンズ群Ｌｎのレンズ系を像ぶれ補正用のレンズ系とするのが良い。これによれば像ぶれ補正用のレンズ系のレンズ径が小さくなるためズームレンズの小型化が容易となる。
【００５６】
次に図１２の本発明の実施例の撮像装置について説明する。撮像装置は、カメラ本体２０と、撮影光学系としての、実施例１乃至５に説明したいずれか１つのズームレンズとを有する。固体撮像素子２２は、カメラ本体に内蔵され、撮影光学系２１によって形成された被写体像を受光するＣＣＤセンサやＣＭＯＳセンサ等である。尚、各実施例のズームレンズはクイックリターンミラーのある一眼レフカメラやクイックリターンミラーのないミラーレスのカメラにも適用できる。
【００５７】
以上、本発明の好ましいズームレンズの実施例について説明したが、本発明はこれらの実施例に限定されないことは言うまでもなく、その要旨の範囲内で種々の変形及び変更が可能である。
【００５８】
以下に実施例１乃至５に対応する数値データ１乃至５を示す。各数値データにおいてｉは物体側からの面の順番を示す。数値データにおいてｒｉは物体側より順に第ｉ番目のレンズ面の曲率半径、ｄｉは物体側より順に第ｉ番目のレンズ厚及び空気間隔、ｎｄｉとνｄｉは各々物体側より順に第ｉ番目のレンズの材料の屈折率とアッベ数である。ＢＦはバックフォーカスである。非球面形状は光軸方向にＸ軸、光軸と垂直な方向にＨ軸、光の進行方向を正としＲを近軸曲率半径、Ｋ、Ａ２、Ａ４、Ａ６、Ａ８、Ａ１０、Ａ１２を各々非球面係数としたとき、
【００５９】
【数１】
2019015956.tif 000003
【００６０】
で与えるものとする。各非球面係数において「ｅ−ｘ」は「１０−ｘ」を意味する。また、焦点距離、Ｆナンバー等のスペックに加え、全系の半画角、像高は半画角を決定する最大像高、レンズ全長は第１レンズ面から像面までの距離である。バックフォーカスＢＦは最終レンズ面から像面までの長さを示している。また、各レンズ群データは、各レンズ群の焦点距離を示している。
【００６１】
また、各光学面の間隔ｄが（可変）となっている部分は、ズーミングに際して変化するものであり、別表に焦点距離に応じた面間隔を記している。尚、以下に記載する数値データ１乃至５のレンズデータに基づく、各条件式の計算結果を表１に示す。
【００６２】
［数値データ１］
面データ
面番号       r        d      nd         νd
1        153.129    2.10   1.80810    22.8           
2         68.126    9.20   1.72916    54.7           
3        229.651    0.15                             
4         56.538    8.42   1.77250    49.6           
5        143.922  (可変)                             
6*       177.309    1.50   1.85135    40.1           
7         21.050    9.92                             
8        -48.645    0.90   1.76385    48.5           
9         25.647    8.34   1.85478    24.8           
10        -50.942    2.34                             
11        -31.481    5.59   1.51742    52.4           
12        -18.463    1.20   1.88300    40.8           
13*       -44.498  (可変)                             
14(絞り)    ∞       0.30                             
15         65.756    4.12   1.72916    54.7           
16        371.024    0.15                             
17         45.665    9.76   1.80400    46.6           
18*       -76.624    3.63                             
19        -51.901    1.50   1.73800    32.3           
20         27.845    8.48   1.49700    81.5           
21        510.252  (可変)                             
22         39.711    7.32   1.43875    94.7           
23       -174.360    0.15                             
24         37.228    7.09   1.59522    67.7           
25       -104.496    0.30                             
26         87.786    1.10   1.69895    30.1           
27         31.012    5.54                             
28*     -1000.000    2.00   1.85400    40.4           
29*        55.807    1.31                             
30         57.476    1.20   1.48749    70.2           
31         35.136    5.66   1.85025    30.1           
32        172.397  (可変)                             
像面        ∞   
非球面データ
第6面
K = 0.00000e+000  A 4= 5.10348e-006  A 6=-4.34457e-009  A 8= 1.37999e-011  A10=
-2.48862e-014  A12= 2.63278e-017  
第13面
K = 0.00000e+000  A 4=-1.62945e-006  A 6=-1.93301e-009  A 8=-6.21737e-012  A10=
2.66590e-014  A12=-4.35899e-017  
第18面
K = 0.00000e+000  A 4= 2.55792e-006  A 6=-1.69292e-009  A 8=-2.27540e-012  A10=
4.02496e-015  A12=-2.17151e-018  
第28面
K = 0.00000e+000  A 4=-4.41081e-005  A 6= 1.28044e-007  A 8=-2.10057e-010  A10=
-1.84393e-013  A12= 8.43712e-016  
第29面
K = 0.00000e+000  A 4=-3.09220e-005  A 6= 1.56402e-007  A 8=-2.84790e-010  A10=
1.76646e-013  A12= 2.07899e-016  
各種データ
ズーム比     2.35 
広角     中間     望遠
焦点距離      28.90    42.99    67.90  
Fナンバー      2.05     2.05     2.06  
半画角（度）  36.82    26.72    17.67  
像高          21.64    21.64    21.64  
レンズ全長   163.98   171.82   184.65  
BF            27.79    35.08    42.63  
d 5            4.20    15.98    29.54  
d13           16.62     8.94     2.27  
d21            6.11     2.56     0.95  
d32           27.79    35.08    42.63  
レンズ群データ
群  始面    焦点距離  
1    1     105.64  
2    6     -19.62  
3   14      53.91  
4   22      48.64  
［数値データ２］
面データ
面番号       r        d      nd         νd
1        149.047    2.10   1.80810    22.8           
2         68.781    8.93   1.72916    54.7           
3        223.676    0.15                             
4         58.980    8.28   1.77250    49.6           
5        159.657  (可変)                             
6*       176.499    1.50   1.76902    49.3           
7         20.208    9.19                             
8        -63.499    0.90   1.76385    48.5           
9         24.792    8.37   1.85478    24.8           
10        -55.595    1.57                             
11        -41.903    5.18   1.48749    70.2           
12        -19.594    1.20   1.88300    40.8           
13*       -74.922  (可変)                             
14(絞り)    ∞       0.30                             
15         64.431    4.46   1.72916    54.7           
16          ∞       0.15                             
17         40.646    8.99   1.80400    46.6           
18*       -88.160    4.14                             
19        -47.780    1.50   1.73800    32.3           
20         25.016    7.71   1.49700    81.5           
21        248.460  (可変)                             
22         33.078    6.71   1.43875    94.7           
23       -469.348    0.15                             
24         40.254    6.46   1.59522    67.7           
25       -101.746    0.30                             
26         59.526    4.51   1.49700    81.5           
27       -177.956    1.00   1.80610    33.3           
28         44.079    4.23                             
29*     -1000.000    3.00   1.85400    40.4           
30*       109.178    3.26                             
31        -45.198    1.20   1.48749    70.2           
32         45.131    6.42   2.00100    29.1           
33       -169.151  (可変)                             
像面        ∞   
非球面データ
第6面
K = 0.00000e+000  A 4= 4.40628e-006  A 6=-2.80374e-009  A 8= 3.12113e-012  A10=
2.43107e-015  A12=-2.17038e-018  
第13面
K = 0.00000e+000  A 4=-2.36140e-006  A 6=-1.08356e-009  A 8=-1.99552e-011  A10=
1.00829e-013  A12=-1.77388e-016  
第18面
K = 0.00000e+000  A 4= 2.15576e-006  A 6=-2.33619e-009  A 8=-1.82040e-012  A10=
-1.99976e-016  A12= 4.53234e-018  
第29面
K = 0.00000e+000  A 4=-4.82313e-005  A 6= 1.54634e-008  A 8= 3.00393e-010  A10=
-1.04531e-012  A12= 1.51938e-015  
第30面
K = 0.00000e+000  A 4=-2.82244e-005  A 6= 5.87972e-008  A 8= 2.35247e-010  A10=
-8.07024e-013  A12= 9.56680e-016  
各種データ
ズーム比     2.35 
広角     中間     望遠
焦点距離      28.91    42.97    67.89  
Fナンバー      2.05     2.05     2.06  
半画角（度）  36.81    26.72    17.68  
像高          21.64    21.64    21.64  
レンズ全長   155.86   165.41   178.09  
BF            19.57    25.90    33.38  
d 5            3.86    16.61    29.64  
d13           14.92     8.44     2.27  
d21            5.66     2.61     0.95  
d33           19.57    25.90    33.38  
レンズ群データ
群  始面    焦点距離  
1    1     105.82  
2    6     -18.96  
3   14      48.62  
4   22      41.98  
［数値データ３］
面データ
面番号       r        d      nd         νd
1        144.804    2.00   1.89286    20.4           
2         80.643    6.11   1.59522    67.7           
3        243.143    0.15                             
4         61.346    6.87   1.81600    46.6           
5        171.031  (可変)                             
6*       203.092    1.50   1.76902    49.3           
7*        20.812    8.59                             
8        -65.631    0.90   1.76385    48.5           
9         29.254    7.34   1.85478    24.8           
10        -61.569    2.03                             
11        -38.415    5.32   1.51742    52.4           
12        -20.148    1.20   1.88300    40.8           
13*       -59.537  (可変)                             
14(絞り)    ∞       0.30                             
15         57.714    5.26   1.77250    49.6           
16          ∞       0.15                             
17         44.429    9.55   1.76902    49.3           
18*       -96.171    4.18                             
19        -49.818    1.50   1.73800    32.3           
20         26.242    8.47   1.49700    81.5           
21        294.624  (可変)                             
22         30.340    7.83   1.43875    94.7           
23       1266.545    0.15                             
24         43.310    5.92   1.59522    67.7           
25       -139.116    0.29                             
26         57.009    4.62   1.49700    81.5           
27       -215.536    1.00   1.80610    33.3           
28         47.888    4.31                             
29*     -1000.000    3.00   1.85400    40.4           
30*        82.837    3.28                             
31        -52.834    1.20   1.48749    70.2           
32         47.839    6.17   2.00100    29.1           
33       -164.151  (可変)                             
像面        ∞   
非球面データ
第6面
K = 0.00000e+000  A 4= 5.87094e-006  A 6=-6.60397e-009  A 8= 2.25046e-011  A10=
-3.32596e-014  A12= 1.93933e-017  
第7面
K = 0.00000e+000  A 4= 1.55362e-006  A 6= 3.84593e-009  A 8=-1.18365e-011  A10=
2.50498e-013  
第13面
K = 0.00000e+000  A 4=-1.96403e-006  A 6=-2.41300e-009  A 8=-1.05968e-011  A10=
4.08307e-014  A12=-7.53278e-017  
第18面
K = 0.00000e+000  A 4= 1.68146e-006  A 6=-2.03638e-009  A 8=-2.58497e-012  A10=
4.10802e-015  A12=-1.63495e-018  
第29面
K = 0.00000e+000  A 4=-5.15686e-005  A 6= 4.02377e-008  A 8= 2.55176e-010  A10=
-9.82081e-013  A12= 1.19282e-015  
第30面
K = 0.00000e+000  A 4=-3.22839e-005  A 6= 8.43469e-008  A 8= 1.67857e-010  A10=
-7.61031e-013  A12= 9.20995e-016  
各種データ
ズーム比     2.35 
広角     中間     望遠
焦点距離      28.90    43.10    67.90  
Fナンバー      2.05     2.05     2.06  
半画角（度）  36.82    26.66    17.67  
像高          21.64    21.64    21.64  
レンズ全長   156.50   165.83   179.71  
BF            19.59    27.33    36.75  
d 5            4.05    17.08    30.55  
d13           16.65     8.99     2.27  
d21            7.02     3.24     0.95  
d33           19.59    27.33    36.75  
レンズ群データ
群  始面    焦点距離  
1    1     114.66  
2    6     -20.50  
3   14      49.42  
4   22      45.40  
［数値データ４］
面データ
面番号       r        d      nd         νd
1        185.690    2.10   1.89286    20.4           
2        102.616    5.96   1.59522    67.7           
3        506.983    0.15                             
4         60.547    6.61   1.76385    48.5           
5        145.490  (可変)                             
6*       196.972    1.40   1.88300    40.8           
7         23.897    8.29                             
8        -66.605    1.10   1.59282    68.6           
9         27.915    4.65   1.90366    31.3           
10         94.203    0.50                             
11        115.549    8.99   1.72825    28.5           
12        -23.106    1.10   1.88300    40.8           
13        -77.496    3.91                             
14        -25.285    1.20   1.95375    32.3           
15        -39.935  (可変)                             
16(絞り)    ∞       0.30                             
17         57.217    5.76   1.80400    46.6           
18      -14821.675    0.15                             
19         48.154    8.94   1.77250    49.5           
20*      -101.713    5.94                             
21        -56.728    1.40   1.85025    30.1           
22         29.702    7.73   1.49700    81.5           
23        318.842  (可変)                             
24         46.088    5.77   1.49700    81.5           
25      -2453.348    0.15                             
26         44.616    6.25   1.59522    67.7           
27       -342.571    0.25                             
28         40.473    1.40   2.00100    29.1           
29         33.629    9.25   1.49700    81.5           
30        -70.003    0.15                             
31*       180.669    1.40   1.85400    40.4           
32         24.228    3.96   1.48749    70.2           
33         38.371    6.68                             
34        -35.992    1.40   1.59522    67.7           
35         42.748    6.75   2.00069    25.5           
36       -218.385  (可変)                             
像面        ∞   
非球面データ
第6面
K = 0.00000e+000  A 4= 4.39158e-006  A 6=-9.82898e-010  A 8= 2.69004e-012  A10=
-1.15093e-015  A12= 6.67612e-018  
第20面
K = 0.00000e+000  A 4= 2.99070e-006  A 6=-2.29872e-009  A 8=-1.18958e-012  A10=
3.78487e-015  A12=-2.25763e-018  
第31面
K = 0.00000e+000  A 4=-1.47587e-005  A 6=-1.30088e-008  A 8= 2.79729e-011  A10=
-7.52442e-014  A12= 1.40883e-016  
各種データ
ズーム比     2.70 
広角     中間     望遠
焦点距離      28.84    44.96    77.80  
Fナンバー      2.06     2.06     2.06  
半画角（度）  36.87    25.70    15.54  
像高          21.64    21.64    21.64  
レンズ全長   162.79   173.70   191.92  
BF            15.28    23.29    33.80  
d 5            3.47    18.39    35.68  
d15           16.63     8.99     1.85  
d23            7.83     3.44     1.00  
d36           15.28    23.29    33.80  
レンズ群データ
群  始面    焦点距離  
1    1     120.53  
2    6     -20.85  
3   16      52.49  
4   24      40.08  
［数値データ５］
面データ
面番号       r        d      nd         νd
1        156.668    2.00   1.80810    22.8           
2         73.194    7.44   1.72916    54.7           
3        296.797    0.15                             
4         66.234    6.59   1.75500    52.3           
5        210.185  (可変)                             
6*       186.430    1.40   1.85400    40.4           
7*        18.449    9.30                             
8        -51.191    0.90   1.76385    48.5           
9         24.866    6.16   2.00069    25.5           
10       -109.687  (可変)                             
11*       -28.576    1.20   1.76902    49.3           
12*       -79.826  (可変)                             
13         66.184    3.43   1.69680    55.5           
14       -139.170    1.00                             
15(絞り)    ∞       1.00                             
16         48.113    4.13   1.95375    32.3           
17       -206.077    1.74                             
18        -50.948    1.20   2.00069    25.5           
19        152.066  (可変)                             
20        165.603    5.57   1.43875    94.7           
21        -38.187    0.15                             
22         22.759    7.90   1.59522    67.7           
23       -189.209    0.15                             
24*        36.645    1.40   1.88202    37.2           
25         14.740    4.60   1.49700    81.5           
26         32.873    1.21                             
27         29.026    1.00   1.88300    40.8           
28         21.879    3.20                             
29       -139.668    1.00   1.95375    32.3           
30         69.840    0.15                             
31         38.242    2.58   1.80810    22.8           
32        159.399    1.00                             
33*       108.027    7.17   1.49710    81.6           
34*       -24.165    0.20                             
35        -34.666    1.20   2.00069    25.5           
36         80.325    5.69   1.84666    23.8           
37        -38.384    3.75                             
38        -18.705    1.00   1.77250    49.6           
39        -41.488    0.15                             
40        506.172    3.02   2.05090    26.9           
41       -127.955  (可変)                             
像面        ∞   
非球面データ
第6面
K = 0.00000e+000  A 4= 7.50660e-006  A 6=-2.36907e-008  A 8= 8.82428e-011  A10=
-1.73833e-013  A12= 1.29082e-016  
第7面
K = 0.00000e+000  A 4= 3.52537e-006  A 6=-6.35320e-009  A 8=-8.56403e-012  A10=
5.55051e-013  
第11面
K = 0.00000e+000  A 4= 5.48818e-006  A 6=-9.39086e-009  A 8=-9.50083e-012  A10=
2.81420e-013  
第12面
K = 0.00000e+000  A 4= 5.86964e-006  A 6=-2.26952e-008  A 8= 4.62209e-011  A10=
1.89723e-014  
第24面
K = 0.00000e+000  A 4=-1.65733e-005  A 6=-3.55878e-008  A 8= 4.00937e-011  A10=
-2.16945e-013  A12= 5.66000e-016  
第33面
K = 0.00000e+000  A 4=-5.33034e-007  A 6= 2.61538e-008  A 8=-4.73509e-011  A10=
7.83891e-014  
第34面
K = 0.00000e+000  A 4=-7.29151e-006  A 6=-3.35628e-009  A 8=-1.21899e-010  A10=
9.39006e-014  
各種データ
ズーム比     2.75 
広角     中間     望遠
焦点距離      24.69    37.63    67.88  
Fナンバー      2.91     2.91     2.91  
半画角（度）  41.23    29.90    17.68  
像高          21.64    21.64    21.64  
レンズ全長   139.21   150.29   171.74  
BF            13.49    22.31    35.10  
d 5            1.00    11.43    27.77  
d10            7.92     7.31     6.15  
d12           11.27     6.48     2.00  
d19            5.82     3.04     1.00  
d41           13.49    22.31    35.10  
レンズ群データ
群  始面    焦点距離  
1    1     105.46  
2    6     -29.04  
3   11     -58.47  
4   13      58.34  
5   20      36.27  
【００６３】
【表１】
2019015956.tif 000004
【符号の説明】
【００６４】
Ｌ１  第１レンズ群
Ｌｍ  中間群
Ｌｎ−１  レンズ群（第ｎ−１レンズ群）
Ｌｎ  レンズ群（第ｎレンズ群）
【図１】
2019015956.tif 000005
【図２】
2019015956.tif 000006
【図３】
2019015956.tif 000007
【図４】
2019015956.tif 000008
【図５】
2019015956.tif 000009
【図６】
2019015956.tif 000010
【図７】
2019015956.tif 000011
【図８】
2019015956.tif 000012
【図９】
2019015956.tif 000013
【図１０】
2019015956.tif 000014
【図１１】
2019015956.tif 000015
【図１２】
2019015956.tif 000016